(57)【要約】　　　（修正有）【課題】カバーの仕切壁の下側または側面をリブと結合してカバー自体の強度を増大し、仕切壁の破損を防止して精度向上を図る。【解決手段】ソケット本体２と、該ソケット本体に設けられる複数個のコンタクト１０と、前記ソケット本体２上に装着されるＩＣパッケージ３と、枠形の上下動可能なカバー５とを有し、前記コンタクト１０の固定コンタクト部１１に対応して可動可能に設けられた可動コンタクト部１２を操作する前記カバー５のカム面７を区画する仕切壁９の下面または側面のいずれかを結合するリブ８を有する。【選択図】　　　　図２
2004055356.tif 000002
【特許請求の範囲】
【請求項１】
ソケット本体と、該ソケット本体に設けられる複数個のコンタクトと、前記ソケット本体上に装着されるＩＣパッケージと、枠形の上下動可能なカバーとを有し、前記コンタクトは、固定コンタクト部と、該固定コンタクト部に対応して可動可能に設けられた可動コンタクト部とを有し、該可動コンタクト部を操作する前記カバーのカム面を区画する仕切壁の下面または側面のいずれかを結合するリブが設けられていることを特徴とするＩＣソケット。
【請求項２】
前記リブが、前記仕切壁の下面と結合されることを特徴とする請求項１記載のＩＣソケット。
【請求項３】
前記リブが、前記仕切壁の側面と結合されることを特徴とする請求項１記載のＩＣソケット。
【発明の詳細な説明】
【０００１】
【発明の属する技術分野】
本発明は、二点接触構造のコンタクトを有するソケット本体にＩＣパッケージが装着されるＩＣソケットに係るもので、特に、ソケット本体に取付けられるコンタクトのための仕切壁を結合するリブを有するカバーを具備するＩＣパッケージに関するものである。
【０００２】
【従来の技術】
従来、電気部品としてのＩＣパッケージ等が装着されるＩＣソケットにおいては、ソケット本体が保有するコンタクトと、このようなソケット本体に塔載したＩＣパッケージの外部コンタクトとの開閉を行うＩＣソケットが知られている。
【０００３】
このような従来におけるＩＣソケットのカバーの一例が図６に示されており、ＩＣソケットは、二点接触構造のコンタクトを有するソケット本体（図示しない）と、このソケット本体に対して上下動可能に設けられたカバー１０５とを有するものであり、カバー１０５は、ソケット本体に取付けられたコンタクトのための仕切壁１０９を結合するリブ１０８を有している。
【０００４】
【発明が解決しようとする課題】
しかしながら、従来のこのようなＩＣソケットは、コンタクトの可動コンタクト部を作動するカバー１０５のカム面１０７における仕切壁１０９とリブ１０８との間に空間部分１１０があるために仕切壁１０９が弱く、破損し易い等の問題がある。
【０００５】
従って、本発明の目的は、このような従来における問題を解決するために、カバーの仕切壁の下側または側面をリブと結合してカバー自体の強度を増大し、仕切壁の破損を防止して精度向上を図るようにしたＩＣソケットを提供することにある。
【０００６】
【課題を解決するための手段】
上述の目的を達成するために、本発明のＩＣソケットは、ソケット本体と、該ソケット本体に設けられる複数個のコンタクトと、前記ソケット本体上に装着されるＩＣパッケージと、枠形の上下動可能なカバーとを有し、前記コンタクトは、固定コンタクト部と、該固定コンタクト部に対応して可動可能に設けられた可動コンタクト部とを有し、該可動コンタクト部を操作する前記カバーのカム面を区画する仕切壁の下面または側面のいずれかを結合するリブが設けられていることを特徴とする。
【０００７】
また、本発明のＩＣソケットは、前記リブが、前記仕切壁の下面と結合されることを特徴とする。
【０００８】
さらに、本発明のＩＣソケットは、前記リブが、前記仕切壁の側面と結合されることを特徴とする。
【０００９】
本発明のその他の目的や特徴および利点は、添付図面に示される本発明の実施形態についての以下の詳細な説明から明らかである。
【００１０】
【発明の実施の形態】
（実施例１）
図１乃至図４は、本発明におけるＩＣソケットの一実施例を図示、説明するための概略図で、図１は、本発明のＩＣソケットの平面図で、図２は、図１のＩＣソケットの中央縦断面図、図３は図２の可動コンタクト部が開いた時の同様な縦断面図で、図４はカバーの縦断面図である。なお、本発明において一例として用いられるＩＣパッケージは、左右両側に多数の外部コンタクトが突出する長方形のＩＣ部品であるが、本発明は、このような長方形のＩＣパッケージの適用に限られるものではない。
【００１１】
図１乃至図４に示されるように、本発明におけるＩＣソケット１は、ソケット本体２と、ソケット本体２上に装着され、かつ左右両側に多数の外部コンタクト４を有するＩＣパッケージ３と、枠形の上下動可能なカバー５と、ソケット本体２に設けられる複数個の二点接触構造のコンタクト１０とを有している。コンタクト１０は、固定コンタクト部１１と、この固定コンタクト部１１に対応して可動可能に設けられた可動コンタクト部１２とを有する二点接触構造を形成している。また、コンタクト１０は、ソケット本体２に取付けられるコの字形のベース部１４を有し、下方に突出する端子部１５がベース部１４に設けられていて、検査装置や他の適宜な装置に差込んで取付けできるように構成されている。なお、端子部１５は、隣接のコンタクト１０に対して交互に内側と外側とに位置をずらして設けられており、これによって差込まれて接続される相手側の装置のソケットとの接続を一層良好にしている。
【００１２】
ＩＣソケット１は、本実施例では図１に示されるように形状が長方形で、ＩＣパッケージ３が、左右両側の長辺部分に沿って多数の外部コンタクト４が突出するタイプのものであるが、図示の如く長方形の形状に特に限定されるものではなく、方形等の四角形等の形状でも良く、さらにまた、外部コンタクト４も左右両側だけに突出するものに限られるものではないことは勿論である。
【００１３】
ソケット本体２は、塔載すべきＩＣパッケージ３等が載置される位置決めのための載置部１３が中央部分に設けられており、左右両側に多数のコンタクト１０が並列して取付けられている。
【００１４】
また、カバー５は、枠形をなしていて上面の外周縁辺部分に押圧部６を有しており、下面にカム面７が形成されていて仕切壁９が設けられていて、コンタクト１０の可動コンタクト部１２のための室を形成している。さらに、カバー５は、仕切壁９の下方にリブ８が設けられて、リブ８が仕切壁９の下面と結合されて一体的になっているので、仕切壁９の強度が増大されると共に、一層強化されて破損の防止が図られている。
【００１５】
このように、カバー５は、押圧部６の両側の長辺部分の下方部分に、コンタクト１０の可動コンタクト部１２の従動部２１が収容される室が形成されており、間に仕切壁９が設けられていて、可動コンタクト部１２を個々に収容して配置されるように構成されており、カバー５を押圧した時に、カバー５の下側のカム面７によって可動コンタクト部１２の従動部２１の先端部が下方外側に向って押されて可動コンタクト部１２が彎曲変形され、これによって接点部２０が固定コンタクト部１１の接点部１７から離されてＩＣパッケージ３の外部コンタクト４がフリーになるので、ロボットや手動によってＩＣパッケージ３を取り出して、必要に応じては新しいＩＣパッケージと交換することが出来る。
【００１６】
図２および図３に示されるように、コンタクト１０は、固定コンタクト部１１と、この固定コンタクト部１１に対応して可動可能に設けられた可動コンタクト部１２との二点接触構造を形成しており、コの字形のベース部１４においてソケット本体２に固着され、このベース部１４から固定コンタクト部１１と可動コンタクト部１２とに分岐されており、さらに、ベース部１４から下方に端子部１５が突出していて、図示しない他の適宜な装置の接続端子と接続できるようになっている。
【００１７】
コンタクト１０の固定コンタクト部１１は、ソケット本体２に固着されるベース部１４から上方に屈曲して延びる直立部１６と、直立部１６の上端部分に形成された位置決め部を兼ね、かつＩＣパッケージ３の外部コンタクト４と接触し、かつ外部コンタクト４を下方から支持する接点部１７とを有しいる。
【００１８】
他方、可動コンタクト部１２は、ベース部１４から上方に延び、ほぼＳ字状に彎曲した条片部１８と、この条片部１８からほぼ直角に屈曲した屈曲部１９と、固定コンタクト部１１と対応するようにこの屈曲部１９の先端に形成されてＩＣパッケージ３の外部コンタクト４と上方から接触する接点部２０と、屈曲部１９から上方に突出して延びる従動部２１とを有しており、ほぼＳ字形に彎曲した条片部１８において弾性変形できるようになっている。
【００１９】
また、可動コンタクト部１２の屈曲部１９から上方に延びる従動部２１は、図示されるようにカバー５の下側のカム面７と当接しており、カバー５が下方に押圧される時に、カバー５のカム面７によってカム作動されて可動コンタクト部１２の従動部２１の先端部を斜め下方に押圧して可動コンタクト部１２を外方に向って彎曲されるので、この可動コンタクト部１２の外方への変形によって可動コンタクト部１２の接点部２０が、固定コンタクト部１１の接点部１７上に置かれているＩＣパッケージ３の外部コンタクト５から離されて、図３に示されるように両接点部１７、２０が開離されるようになる。
【００２０】
従って、このようにカバー５の押圧によって可動コンタクト部１２の接点部１７がＩＣパッケージ３の外部コンタクト４から離されてＩＣパッケージ３が自由になるので、ＩＣパッケージ３をロボットや手動によって取り出すことができるようになる。
【００２１】
（実施例２）
図５は、本発明におけるＩＣソケットの実施例２を示すための中央縦断面図である。
【００２２】
図示されるように、本発明が適用される実施例２におけるＩＣソケットのカバー５ａは、先の実施例１におけるものと同様に、枠形をなしていて上面の外周縁辺部分に押圧部６ａを有しており、下面にカム面７ａが形成されていて仕切壁９ａが設けられていて、コンタクトの可動コンタクト部のための室を形成している。さらに、カバー５ａは、仕切壁９ａの側方にリブ８ａが設けられて、リブ８ａが仕切壁９ａの側面と結合されて一体的になっているので、仕切壁９ａの強度が増大されると共に、一層強化されて破損の防止が図られている。従って、カバー５ａは、リブ８ａが仕切壁９ａの側面と結合されて一体的に作られるためにカバー５ａ自体の強度が増大され、仕切壁９ａの破損を良好に防止することができる。
【００２３】
【発明の効果】
以上説明したように、本発明の請求項１記載のＩＣソケットは、ソケット本体と、該ソケット本体に設けられる複数個のコンタクトと、前記ソケット本体上に装着されるＩＣパッケージと、枠形の上下動可能なカバーとを有し、前記コンタクトは、固定コンタクト部と、該固定コンタクト部に対応して可動可能に設けられた可動コンタクト部とを有し、該可動コンタクト部を操作する前記カバーのカム面を区画する仕切壁の下面または側面のいずれかを結合するリブが設けられているので、仕切壁がリブと結合されることで仕切壁は勿論、カバー自体の強度も増大しされ、仕切壁の破損を防止して精度向上を図る。
【００２４】
本発明の請求項２記載のＩＣソケットは、前記リブが、前記仕切壁の下面と結合されるので、簡単な手段によってカバーの強度を増大でき、仕切壁の損傷を防止することができる。
【００２５】
本発明の請求項３記載のＩＣソケットは、前記リブが、前記仕切壁の側面と結合されるので、簡単な手段でカバーの強度を増大することができ、仕切壁の破損を防止することができる。
【図面の簡単な説明】
【図１】本発明のＩＣソケットの実施例１における平面図である。
【図２】図１の本発明のＩＣソケットに、ＩＣパッケージを装着する時の縦断面図である。
【図３】図２の本発明のＩＣソケットにおいてカバーを押圧して可動コンタクト部を開いた時の同様な縦断面図である。
【図４】図１および図２の本発明のＩＣソケットのカバーを示す縦断面図である。
【図５】本発明のＩＣソケットの実施例２におけるカバーを示す縦断面図である。
【図６】従来のＩＣソケットにおけるカバーを示す縦断面図である。
【符号の説明】
１　　　　ＩＣソケット
２　　　　ソケット本体
３　　　　ＩＣパッケージ
４　　　　外部コンタクト
５、５ａ　カバー
６、６ａ　押圧部
７、７ａ　カム面
８、８ａ　リブ
９、９ａ　仕切壁
１０　　　コンタクト
１１　　　固定コンタクト部
１２　　　可動コンタクト部
１３　　　載置部
１４　　　ベース部
１５　　　端子部
１６　　　直立部
１７　　　接点部
１８　　　条片部
１９　　　屈曲部
２０　　　接点部
２１　　　従動部
１０５　　カバー
１０６　　押圧部
１０７　　カム面
１０８　　リブ
１０９　　仕切壁
１１０　　空間部
【図１】
2004055356.tif 000003
【図２】
2004055356.tif 000004
【図３】
2004055356.tif 000005
【図４】
2004055356.tif 000006
【図５】
2004055356.tif 000007
【図６】
2004055356.tif 000008